(57)【特許請求の範囲】
【請求項１】
コンテナー、システム什器の陳列台の縦杆が挿入される切欠部を備えた上の折曲部及び下の折曲片と、左右の折曲片と、この上の折曲部と、下及び左右の折曲片を繋ぎ止める取付け本体と、前記下の折曲片の先端より曲折して延設した垂下片とで構成する取付部材と、
この取付部材に套嵌される陳列台の横杆が挿入される切欠部を備えた樋状の左右の折曲部と、前記縦杆が挿入される切欠部を備えた上の折曲部と、前記左右の折曲部、及びこの上の折曲部を繋ぎ止める蓋本体と、この蓋本体の下側に設けた開口部とで構成された覆蓋と、で構成した仕切り材、又は陳列バーの止め具。
【請求項２】
請求項１に記載の仕切り材、又は陳列バーの止め具であって、
この止め具を、前記陳列台の背面の上下の縦横杆に、それぞれ係止し、この止め具に、仕切り材を固止する構成とした仕切り材、又は陳列バーの止め具。
【請求項３】
請求項１に記載の仕切り材、又は陳列バーの止め具であって、
この止め具を、前記陳列台の左右の袖の縦横杆に、それぞれ係止し、この左右の止め具間に、陳列バーを固止する構成とした仕切り材、又は陳列バーの止め具。
【請求項４】
請求項１に記載の仕切り材、又は陳列バーの止め具であって、
この取付部材を構成する下の折曲片が、前記横杆の上に架承され、かつこの横杆に垂下片が添接される構成とした仕切り材、又は陳列バーの止め具。
【請求項５】
請求項１に記載の仕切り材、又は陳列バーの止め具であって、
この取付部材を構成する下の折曲片が、前記横杆の上に架承され、かつこの横杆の一方に垂下片が添接される構成とし、
或いは、この覆蓋を構成する左右の折曲部の切欠部の垂下切欠面が、前記横杆の他方に添接される構成とした仕切り材、又は陳列バーの止め具。
【請求項６】
請求項１に記載の仕切り材、又は陳列バーの止め具であって、
この取付部材を構成する上の折曲部、及び下の折曲片の切欠部の内側が、前記縦杆の一方に、それぞれ添接される構成とし、
また、この覆蓋を構成する上の折曲部の切欠部の内側が、前記縦杆の他方に添接される構成とした仕切り材、又は陳列バーの止め具。
【請求項７】
請求項１に記載の仕切り材、又は陳列バーの止め具であって、
この取付部材の左右の折曲片に、前記覆蓋を構成する左右の折曲部が套嵌されるとともに、この取付部材の上の折曲片に、この覆蓋を構成する上の折曲部が套嵌される構成とした仕切り材、又は陳列バーの止め具。
【発明の詳細な説明】
【技術分野】
【０００１】
本発明は、コンテナー、システム什器等の陳列台の縦横杆（ハンガーネット等の線材、又は枠体等の板材と、或いは線材と板材の組合せ）に取付けられる仕切り材、又は陳列バーの止め具に関する。
【背景技術】
【０００２】
従来、この種の仕切り材、又は陳列バーの止め具は、種々の製品が市販、かつ提案されている。しかし、十分に満足するには到っていないこと、殊に、安全面と、強度面、並びに取付け、取外しの容易化と簡便化等の面において、大いに改良の余地が考えられる。その改良案と、進歩した構造を、先行文献より検討すると、次に挙げる複数の文献が参考となるので、概述する。
【０００３】
文献（１）は、実開昭５６−１５５６７９号の「ハンガーネット用掛吊具」で、その概要は、方形板材の本体の裏面の上下にネットの横条（横杆）に係止される、対の懸垂爪を設けるとともに、この本体の表面に、Ｌ字形の掛吊杆を止め、かつネットの縦杆に係止される切欠部を有する係止板を多段に設け、この係止板に覆蓋を套嵌可能とする構造であり、この掛吊具をハンガーネットに、確実、かつ簡易に取付け、取外し可能とすること、また、三分割可能として、コンパクトな収容と持ち帰りを容易にすることにある。
【０００４】
しかし、この文献（１）は、上下対の懸垂爪を、上下対の横条に、それぞれ係止する構造であり、ハンガーネットの網目に限定されること、利用分野が限定されること、等の改良点が挙げられる。また、対の懸垂爪のみで、対の横条に係止する構造であり、取付け時の安定性に欠けることが考えられる。
【０００５】
文献（２）は、実開平１−８９０６２号の「ディスプレー用ハンガー」で、その概要は、方形板状基板の上下端部を、それぞれ裏面側に折曲げて、ハンガーネットの横棧（横杆）に掛止される掛止部と、固定部をそれぞれ形成し、また、この基板の表面にディスプレー用アームを突出し、前記掛止部には、ハンガーネットの縦棧（縦杆）が挿入される切欠部を形成した構成であり、また、この掛止部に設けた二股部で、折曲げハンガーネットの上の縦棧の掛止し、さらに、説明がないが、この固定部に設けた二股部で、折曲げハンガーネットの下の縦棧の掛止する構造であり、ハンガーネットに、このディスプレー用ハンガーを、確実に取付け得ること、また、このディスプレー用ハンガーネットのズレがないこと、等を意図する。そして、また、このディスプレー用ハンガーの着脱を、容易かつ簡便することにある。
【０００６】
しかし、この文献（２）は、掛止部と、固定部を、上下対の横棧に、それぞれ掛止する構造であり、ハンガーネットの網目に限定されること、利用分野が限定されること、等の改良点が挙げられる。また、掛止部と、固定部に設けた二股部のみで、対の縦棧に掛止する構造であり、取付け時の安定性に欠けることが考えられる。
【０００７】
文献（３）は、特開２００９−７２４１５の「ハンガーネットの物品受け具」で、その概要は、繊維網でなるハンガーネットの縦線材間に設けられる上下側突出形状の複数のフックを裏面に設けた基板と、この基板の表面に設けた物品受け部とで構成した物品受け具であり、架承状態で横方向に位置するフックを、縦線材間に嵌入し、また、このフックを、横線材に係止することで、この物品受け具を、ハンガーネットに、確実かつ容易に取付け、取外し可能とすることにある。
【０００８】
しかし、この文献（３）は、複数のフックを、縦線材間に挿入して固止し、かつ、このフックを、横線材に係止する構造であり、ハンガーネットの網目に限定されること、利用分野が限定されること、等の改良点が挙げられる。また、上下のフックのみで、対の横線材に係止する構造であり、取付け時の安定性に欠けることが考えられる。
【０００９】
【特許文献１】実開昭５６−１５５６７９号
【特許文献２】実開平１−８９０６２号
【特許文献３】特開２００９−７２４１５
【発明の概要】
【発明が解決しようとする課題】
【００１０】
前記文献（１）〜文献（３）は、前述した如く、使用の限定があること、又は取付け時の安定性に欠けること、等の改良点がある。
【００１１】
上記に鑑み、本発明は、陳列台のネット、又は枠体の縦杆の略全体を、取付け部材と覆蓋とを介して、係止する構造として、安定的な取付けと、縦杆・横杆等の間隔には関係なく、汎用的な取付けを確保すること、等を意図する。また、取付け部材を横杆に架承し、この架承状態を、この取付け部材に套嵌した覆蓋の切欠部で係止する構造であり、この止め具を、陳列台に、確実かつ安定的に取付け得る利点がある。さらに、本発明は、陳列台のネット、又は枠体の何れの箇所にも取付けができ、利用範囲の拡充が期待できる。また、本発明は、取付け部材と、この取付け部材に套嵌した覆蓋を介して、仕切り板、又は陳列バーを取付ける構造であり、強度の向上が図れ、重たい商品、機材の吊下げ、添え掛けが確実に確保できることを意図する。
【課題を解決するための手段】
【００１２】
請求項１の発明は、陳列台のネット、又は枠体の縦杆の略全体を、取付け部材と覆蓋とを介して、係止する構造として、安定的な取付けと、縦杆・横杆等の間隔には関係なく、汎用的な取付けを確保すること、等を意図する。また、請求項１の発明は、取付け部材を横杆に架承し、この架承状態を、この取付け部材に套嵌した覆蓋の切欠部で係止する構造であり、この止め具を、陳列台に、確実かつ安定的に取付けことを意図する。さらに、請求項１の発明は、陳列台のネット、又は枠体の何れの箇所にも取付けができ、利用範囲の拡充を図ることを意図する。
【００１３】
請求項１は、コンテナー、システム什器の陳列台の縦杆が挿入される切欠部を備えた上の折曲部及び下の折曲片と、左右の折曲片と、この上の折曲部と、下及び左右の折曲片を繋ぎ止める取付け本体と、前記下の折曲片の先端より曲折して延設した垂下片とで構成する取付部材と、
この取付部材に套嵌される陳列台の横杆が挿入される切欠部を備えた樋状の左右の折曲部と、前記縦杆が挿入される切欠部を備えた上の折曲部と、前記左右の折曲部、及びこの上の折曲部を繋ぎ止める蓋本体と、この蓋本体の下側に設けた開口部とで構成された覆蓋と、で構成した仕切り材、又は陳列バーの止め具である。
【００１４】
請求項２の発明は、請求項１の目的を達成すること、又は、請求項２の発明は、取付け部材と、この取付け部材に套嵌した覆蓋を介して、仕切り板を取付ける構造であり、強度の向上が図れ、重たい商品、機材の添え掛けが確実に確保できることを意図する。
【００１５】
請求項２は、請求項１に記載の仕切り材、又は陳列バーの止め具であって、
この止め具を、前記陳列台の背面の上下の縦横杆に、それぞれ係止し、この止め具に、仕切り材を固止する構成とした仕切り材、又は陳列バーの止め具である。
【００１６】
請求項３の発明は、請求項１の目的を達成すること、又は、請求項３の発明は、取付け部材と、この取付け部材に套嵌した覆蓋を介して、陳列バーを取付ける構造であり、強度の向上が図れ、重たい商品、機材の吊下げが確実に確保できることを意図する。
【００１７】
請求項３は、請求項１に記載の仕切り材、又は陳列バーの止め具であって、
この止め具を、前記陳列台の左右の袖の縦横杆に、それぞれ係止し、この左右の止め具間に、陳列バーを固止する構成とした仕切り材、又は陳列バーの止め具である。
【００１８】
請求項４の発明は、請求項１の目的を達成すること、この目的を達成するに最適な、取付け部材の下の折曲片の構造の提供を意図する。
【００１９】
請求項４は、請求項１に記載の仕切り材、又は陳列バーの止め具であって、
この取付け部材を構成する下の折曲片が、前記横杆の上に架承され、かつこの横杆に垂下片が添接される構成とした仕切り材、又は陳列バーの止め具である。
【００２０】
請求項５の発明は、請求項１の目的を達成すること、この目的を達成するに最適な、取付け部材の下の折曲片、及び覆蓋を構成する左右の折曲部の構造の提供を意図する。
【００２１】
請求項５は、請求項１に記載の仕切り材、又は陳列バーの止め具であって、
この取付部材を構成する下の折曲片が、前記横杆の上に架承され、かつこの横杆の一方に垂下片が添接される構成とし、
或いは、この覆蓋を構成する左右の折曲部の切欠部の垂下切欠面が、前記横杆の他方に添接される構成とした仕切り材、又は陳列バーの止め具である。
【００２２】
請求項６の発明は、請求項１の目的を達成すること、この目的を達成するに最適な、取付け部材の上の折曲部、及び下の折曲片、並びに覆蓋の上の折曲部の構造の提供を意図する。
【００２３】
請求項６は、請求項１に記載の仕切り材、又は陳列バーの止め具であって、
この取付け部材を構成する上の折曲部、及び下の折曲片の切欠部の内側が、前記縦杆の一方に、それぞれ添接される構成とし、
また、この覆蓋を構成する上の折曲部の切欠部の内側が、前記縦杆の他方に添接される構成とした仕切り材、又は陳列バーの止め具である。
【００２４】
請求項７の発明は、請求項１の目的を達成すること、この目的を達成するに最適な、取付け部材と、覆蓋の構造の提供を意図する。
【００２５】
請求項７は、請求項１に記載の仕切り材、又は陳列バーの止め具であって、
この取付け部材の左右の折曲片に、前記覆蓋を構成する左右の折曲部が套嵌されるとともに、この取付け部材の上の折曲部に、この覆蓋を構成する上の折曲部が套嵌される構成とした仕切り材、又は陳列バーの止め具である。
【発明の効果】
【００２６】
請求項１の発明は、コンテナー、システム什器の陳列台の縦杆が挿入される切欠部を備えた上の折曲部及び下の折曲片と、左右の折曲片と、この上の折曲部と、下及び左右の折曲片を繋ぎ止める取付け本体と、下の折曲片の先端より曲折して延設した垂下片とで構成する取付部材と、
取付部材に套嵌される陳列台の横杆が挿入される切欠部を備えた樋状の左右の折曲部と、縦杆が挿入される切欠部を備えた上の折曲部と、左右の折曲部、及び上の折曲部を繋ぎ止める蓋本体と、蓋本体の下側に設けた開口部とで構成された覆蓋と、で構成した仕切り材、又は陳列バーの止め具である。
【００２７】
従って、請求項１は、陳列台のネット、又は枠体の縦杆の略全体を、取付け部材と覆蓋とを介して、係止する構造として、安定的な取付けと、縦杆・横杆等の間隔には関係なく、汎用的な取付けを確保できること、等の特徴を有する。また、請求項１は、取付け部材を横杆に架承し、この架承状態を、この取付け部材に套嵌した覆蓋の切欠部で係止する構造であり、この止め具を、陳列台に、確実かつ安定的に取付け得る利点がある。さらに、請求項１は、陳列台のネット、又は枠体の何れの箇所にも取付けができ、利用範囲の拡充が期待できる。
【００２８】
請求項２の発明は、請求項１に記載の仕切り材の止め具であって、
止め具を、陳列台の背面の上下の縦横杆に、それぞれ係止し、止め具に、仕切り材を固止する構成とした仕切り材、又は陳列バーの止め具である。
【００２９】
従って、請求項２は、請求項１の目的を達成できること、又は、請求項２は、取付け部材と、この取付け部材に套嵌した覆蓋を介して、仕切り板を取付ける構造であり、強度の向上が図れ、重たい商品、機材の添え掛けが確実に確保できる特徴がある。
【００３０】
請求項３の発明は、請求項１に記載の仕切り材、又は陳列バーの止め具であって、
止め具を、陳列台の左右の袖の縦横杆に、それぞれ係止し、左右の止め具間に、陳列バーを固止する構成とした仕切り材、又は陳列バーの止め具である。
【００３１】
従って、請求項３は、請求項１の目的を達成できること、又は、請求項３は、取付け部材と、この取付け部材に套嵌した覆蓋を介して、陳列バーを取付ける構造であり、強度の向上が図れ、重たい商品、機材の吊下げが確実に確保できること、等の特徴を有する。
【００３２】
請求項４の発明は、請求項１に記載の仕切り材、又は陳列バーの止め具であって、
取付け部材を構成する下の折曲片が、横杆の上に架承され、かつ横杆に垂下片が添接される構成とした仕切り材、又は陳列バーの止め具である。
【００３３】
従って、請求項４は、請求項１の目的を達成できること、この目的を達成するに最適な、取付け部材の下の折曲片の構造を提供できること、等の特徴を有する。
【００３４】
請求項５の発明は、請求項１に記載の仕切り材、又は陳列バーの止め具であって、
取付部材を構成する下の折曲片が、横杆の上に架承され、かつ横杆の一方に垂下片が添接される構成とし、
或いは、覆蓋を構成する左右の折曲部の切欠部の垂下切欠面が、横杆の他方に添接される構成とした仕切り材、又は陳列バーの止め具である。
【００３５】
従って、請求項５は、請求項１の目的を達成できること、この目的を達成するに最適な、取付け部材の下の折曲片、及び覆蓋を構成する左右の折曲部の構造を提供できること、等の特徴を有する。
【００３６】
請求項６の発明は、請求項１に記載の仕切り材、又は陳列バーの止め具であって、
取付け部材を構成する上の折曲部、及び下の折曲片の切欠部の内側が、縦杆の一方に、それぞれ添接される構成とし、
また、覆蓋を構成する上の折曲部の切欠部の内側が、縦杆の他方に添接される構成とした仕切り材、又は陳列バーの止め具である。
【００３７】
従って、請求項６は、請求項１の目的を達成できること、この目的を達成するに最適な、取付け部材の上の折曲部、及び下の折曲片、並びに覆蓋の上の折曲部の構造を提供できること、等の特徴を有する。
【００３８】
請求項７の発明は、請求項１に記載の仕切り材、又は陳列バーの止め具であって、
取付け部材の左右の折曲片に、覆蓋を構成する左右の折曲部が套嵌されるとともに、取付け部材の上の折曲部に、覆蓋を構成する上の折曲部が套嵌される構成とした仕切り材、又は陳列バーの止め具である。
【００３９】
従って、請求項７は、請求項１の目的を達成できること、この目的を達成するに最適な、取付け部材と、覆蓋の構造を提供できること、等の特徴を有する。
【図面の簡単な説明】
【００４０】
【図１−１】陳列台の一例のコンテナーに、第一実施例の止め具と、仕切り材を設けた状態を示した模式図
【図１−２】陳列台の他の一例のコンテナーに、第一実施例の止め具と、仕切り材を設けた状態を示した模式図
【図２−１】第一実施例における止め具と、陳列台のネットを構成する縦横杆に取付けた状態を示した俯瞰模式図
【図２−２】第一実施例における止め具の覆蓋と、陳列台のネットを構成する縦横杆から取外す（脱嵌する）途中の状態を示した俯瞰模式図
【図３】図２−１の断面図
【図４】第一実施例における止め具の取付け部材に、その覆蓋を套嵌した状態（止め具の取付け状態）を示した俯瞰模式図
【図５−１】第一実施例における止め具の取付け部材から、その覆蓋を取外（脱嵌）す途中の状態（止め具の取外し状態）を背面視して示した俯瞰模式図
【図５−２】第一実施例における止め具の取付け部材に、覆蓋を取外す途中の状態を正面視した示した俯瞰模式図
【図５−３】第一実施例における止め具の取付け部材から、その覆蓋を取外（脱嵌）した状態（止め具の取外し状態）を背面視して示した俯瞰模式図
【図５−４】第一実施例における止め具の取付け部材に、覆蓋を取外した状態を正面視した示した俯瞰模式図
【図６】陳列台の一例のシステム什器に、第二実施例の止め具と、陳列バーを設けた状態を示した模式図
【図７−１】第二実施例における止め具と、システム什器のネットを構成する縦横杆に取付けた状態を示した俯瞰模式図
【図７−２】第二実施例における止め具の覆蓋と、システム什器のネットを構成する縦横杆から取外す途中の状態を示した俯瞰模式図
【図８】図７−１の断面図
【図９】第二実施例における止め具の取付け部材に、その覆蓋を套嵌した状態（止め具の取付け状態）を示した俯瞰模式図
【図１０−１】第二実施例における止め具の取付け部材から、その覆蓋を脱嵌する途中の状態を背面視して示した俯瞰模式図
【図１０−２】第二実施例における止め具の取付け部材に、覆蓋を取外す途中の状態を正面視した示した俯瞰模式図
【図１０−３】第二実施例における止め具の取付け部材から、その覆蓋を脱嵌した状態（止め具の取外し状態）を背面視して示した俯瞰模式図
【図１０−４】第二実施例における止め具の取付け部材に、覆蓋を取外した状態を正面視した示した俯瞰模式図
【発明を実施するための形態】
【００４１】
先ず、図１−１〜図５−４に示した、第一実施例を説明する。
【００４２】
この第一実施例は、コンテナーＡ（陳列台の一種）に採用される構造であり、図中１は取付け部材で、この取付け部材１は、陳列台の一例であるコンテナーＡの縦横杆Ａ１、Ａ２に取付けられる（係止される）。この取付け部材１は、縦杆Ａが挿入される切欠部２００、３００を備えた樋状（Ｕ字形）に折曲げ形成した上の折曲部２、及び略９０°に折曲げ形成した下の折曲片３と、略９０°に折曲げ形成した左右の折曲片５、６と、この上の折曲部２と、下及び左右の折曲片３、５、６を繋ぎ止める方形状の取付け本体７と、前記下の折曲片３の先端３ａより曲折して延設した垂下片８とで構成する。
【００４３】
そして、この取付け部材１の構成をさらに詳述すると、この取付け本体７の上端を裏面側７ａに折曲げて、前記上の折曲部２を形成し、この上の折曲部２の折曲端片２０１と、取付け本体７とは並行関係となる。また、この取付け本体７の左右端を裏面側７ａに折曲げて、前記左右の折曲片５、６を形成する。さらに、取付け本体７の下端を裏面側７ａに折曲げて、前記下の折曲片３を形成する。この下、左右の折曲片３、５、６の折曲げ幅は、この上の折曲部２の折曲片２０２の幅と同じとする。即ち、この取付け部材１は、方形状の取付け本体７の周辺に低い立上壁（上の折曲部２の折曲片２０２と、下、左右の折曲片３、５、６）を有する立方体となる。
【００４４】
尚、仕切り材９を構成するには、この取付け部材１を二組必要であるので、同じ構造の取付け部材１を二組使用する。そして、この二組の取付け部材１の各取付け本体７の裏面側７ａ間には、仕切り材９を構成する枠線材９００の両端部９００ａ、９００ａを、それぞれ取付ける（溶接、嵌込み等を利用して固定する）。即ち、枠線材９００の両端部９００ａ、９００ａには、取付け部材１がそれぞれ固止されている。
【００４５】
また、１０は覆蓋で、この覆蓋１０は、前記取付け部材１に套嵌される。この覆蓋１０は、コンテナーＡの横杆Ａ２が挿入される鍵形の切欠部１１００、１２００を備えた樋状に折曲げ形成した左右の折曲部１１、１２と、縦杆Ａ１が挿入される切欠部１３００を有する樋状に折曲げ形成した上の折曲部１３と、左右の折曲部１１、１２、及び上の折曲部１３を繋ぎ止める方形状の蓋本体１５と、蓋本体１５の下側に設けた開口部１６とで構成した仕切り材、又は陳列バーの止め具である。
【００４６】
そして、この蓋体１０の構成をさらに詳述すると、この蓋本体１５の上端を裏面側１５ａに折曲げて、前記上の折曲部１３を形成し、この上の折曲部１３の折曲端片１３０１と、蓋本体１５とは並行関係となる。また、この蓋本体１５の左右端を裏面側１５ａに折曲げて、前記左右の折曲部１１、１２を形成する。この左右の折曲部１１、１２の折曲片１１０２、１２０２の幅は、この上の折曲部１３の折曲片１３０２の幅と同じとする。即ち、この蓋体１０は、方形状の蓋本体１５の周辺に低い立上壁（上の折曲部１３の折曲片１３０２と、左右の折曲部１１、１２の折曲片１１０２、１２０２）を有する、一部が解放された（開口部１６が相当する）立方体となる。尚、前記上、左右の折曲部１３、１１、１２の折曲片１３０２、１１０２、１２０２の内面側１３０２ａ、１１０２ａ、１２０２ａ、及び折曲端片１３０１、１１０１、１２０１の内面側１３０１ａ、１１０１ａ、１２０１ａは、前記取付け本体７の上の折曲部２の折曲片２０２の上面、及び左右の折曲片５、６の外面側と、この取付け本体７の表面側７ｂの外側に、それぞれ添接される。
【００４７】
続いて、コンテナーＡに、対の取付け部材１、１（一方で説明し、１とする）を取付けるには、先ず、一方の取付け部材１（例えば、上側の取付け部材１）を、コンテナーＡの縦杆Ａ１の上方に、この一方の取付け本体１の上下の折曲部２、３の切欠部２００、３００を差込む（切欠部２００、３００の内側が、縦杆Ａ１の一方に、それぞれ添接される）。続いて、他方の取付け部材１（例えば、下側の取付け部材１）を、コンテナーＡの縦杆Ａ１の下方に、この他方の取付け本体１の上下の折曲部２、３の切欠部２００、３００を差込む（切欠部２００、３００の内側が、縦杆Ａ１の一方に、それぞれ添接される）。そして、この一方・他方の取付け本体１、１（１とする）を下方に下げることで、一方・他方の取付け本体１の下の折曲片３が、横杆Ａ２の上面側に添接されるとともに、この横杆Ａ２の一方側に垂下片８が添接されることで、この一方・他方の取付け本体１が、コンテナーＡに取付けられ、かつこのコンテナーＡに仕切り板９の枠線材９００が仮止めされる。
【００４８】
この仮止めが終了した時点で、一方・他方の取付け本体１に、それぞれ一方・他方の覆蓋１０、１０（一方で説明し、１０とする）を套嵌するには、この覆蓋１０の上の折曲部１３に設けた切欠部１３００を、前記縦杆Ａ１（前記上下の折曲部２、３の切欠部２００、３００を差込んだ縦杆Ａ１である）に差込み（切欠部１３００の内側が、縦杆Ａ１の他方に添接される）後に、順次、下方に移動するとともに、この覆蓋１０の左右の折曲部１１、１２を、前記取付け部材１の左右の折曲片５、６と、折曲げ本体７の表面側７ｂに沿って、押下げていく（図２−２参照）。そして、取付け本体１の上の折曲部２の折曲片２０２の上面に、一方・他方の覆蓋１０の上の折曲部１３の折曲片１３０２の下面（内面側１３０２ａ）が添接するとともに、この一方・他方の覆蓋１０の左右折曲部１１、１２の切欠部１１００、１２００の垂下切欠面１１００ａ、１２００ａが、前記横杆Ａ２（一方・他方の取付け本体１の下の折曲片３が添接された横杆Ａ２である）の他方側に添接、かつ上面側に架承される。また、一方・他方の覆蓋１０は、前述の如く、その上、左右の折曲部１３、１１、１２の折曲片１３０２、１１０２、１２０２の内面側１３０２ａ、１１０２ａ、１２０２ａ、及び折曲端片１３０１、１１０１、１２０１の内面側１３０１ａ、１１０１ａ、１２０１ａは、前記取付け本体７の上の折曲部２の折曲片２０２の上面、及び左右の折曲片５、６の外面側と、この取付け本体７の表面側７ｂに、それぞれ添接される（図２−１参照）。以上の操作で、一方・他方の取付け本体１に、一方・他方の覆蓋１０が套嵌されることで、コンテナーＡの背面ネットに、上下（一例である）で対の止め具Ｘが取付けられる。従って、このコンテナーＡは、仕切り材９により、二つの領域に区画される（図１−１参照）。
【００４９】
図中１８は蝶螺子（緊締手段）であり、覆蓋１０の蓋本体１５に貫設して設けられており、その螺入で、先端部１８００が縦杆Ａ１に圧接される。この圧接で止め具Ｘを安定的に取付ける。
【００５０】
そして、前述した、コンテナーＡに、取り付けた仕切り材９を取外すには、背面ネットに、上下で対の止め具Ｘを取外すことが必要であり、その一例を説明すると（一方で説明する）、蝶螺子１８を螺戻し、覆蓋１０と縦杆Ａ１との緊締を解除することで、この覆蓋１０は自由となる。そこで、この覆蓋１０を、コンテナーＡの底板に対して上方に、順次、移行する（図２−２）。この移行は、覆蓋１０の上の折曲部１３の折曲片１３０２に設けた切欠部１３００を、縦杆Ａ１に沿い、かつ覆蓋１０の左右の折曲部１１、１２の折曲片１１０２、１２０２の内面側１１０２ａ、１２０２ａと、折曲端片１１０１、１２０１の内面側１１０１ａ、１２０１ａとを、取付け部材１の左右の折曲片５、６の外周面と、取付け本体７の表面側７ｂに沿って行うことで（図５−１、図５−２参照）、確実、かつ容易に行い得ることと、これにより、この覆蓋１０の取外しが終了する（図５−３、図５−４参照）。
【００５１】
そこで、続いて、取付け本体１を取外すが、その垂下片８と横杆Ａ２との関係を解除するために、この取付け本体１を、仕切り材９を把持し、かつ上の折曲部２の折曲片２０２に設けた切欠部２００と、下の折曲片３の切欠部３００を、縦杆Ａ１に沿って、コンテナーＡの底板に対して上方に、移動することで、確実、かつ容易に行い得ることと、これにより、前記垂下片８と横杆Ａ２との関係が解除される。その後、取付け本体１及び仕切り材９を、コンテナーＡの手前側に移動することで、この取付け本体１の取外しが終了する。
【００５２】
また、第一実施例の他の一例として示した図１−２では、他のコンテナーＡの一例であり、横杆Ａ２を枠板Ａ３とする構造であり、その他の構造と操作等は前述の例に準ずる。また、この止め具Ｘは、縦杆Ａ１と、横杆Ａ２、又は枠板Ａ３に対応可能（汎用形）で重宝する。この汎用形は、図示の如く、この垂下片８の垂下長さと、左右の折曲部１１、１２の切欠部１１００、１２００の上下方向の切欠長さが、例えば、図示の寸法となる。尚、例えば、横杆Ａ２専用とする構造では、垂下片８の垂下長さと、左右の折曲部１１、１２の切欠部１１００、１２００の上下方向の切欠長さを短くする（図示の寸法に比べて短くする）。
【００５３】
次に、図６〜図１０−４に示した、第二実施例を説明する。
【００５４】
この第二実施例は、システム什器Ｂ（陳列台の一種）に採用される構造であり、この第二実施例は、システム什器Ｂの側面ネットに、左右で対に取付けられる止め具Ｙであるが、構造は、前記第一実施例と同様である。その相違点は、取付け部材１を構成する取付け本体７が長方形状である。そして、この覆蓋１０を構成する蓋本体１５も長方形状となる。従って、この第二実施例を構成する取付け部材１と、覆蓋１０は、第一実施例と同様に、立方体となる。また、止め具Ｙの取付け本体７の下端を裏面側７ａに折曲げて、Ｕ字形の下の折曲部２２を形成する。このＵ字形の下の折曲部２２は、折曲片２２０１と、垂下片２２０３、並びに、折曲端片２２０２で構成される。そして、覆蓋１０は、コンテナーＡの横杆Ａ２が挿入される鍵形の切欠部１１００、１２００を形成した第一実施例に対して、第二実施例では、覆蓋１０の切欠部１１００、１２００は、左右の折曲部１１、１２の下方に、幅（折曲）方向全域に亘って、形成する（又はあらかじめ、高さ方向を短く形成する）。従って、止め具Ｙを使用した場合、横杆Ｂ２は、取付け部材１の折曲片２２０１と、垂下片２２０３に、添接される。
【００５５】
尚、図中Ｂ１は縦杆、Ｂ２は横杆を示すが、第一実施例の縦杆Ａ１、横杆Ａ２に準ずる。
【００５６】
そして、この止め具Ｙは、陳列バー２０を架承するために、左右の側面ネットに設けられるとともに、この各止め具Ｙの取付け本体７の表面側７ｂに樋形の受け片２１を、それぞれ設ける（一方で説明する）。そして、この受け片２１は、固定側の反対側が開口部２１００となっており、この開口部２１００と、樋壁２１０２とを介して、前記陳列バー２０を架承する。また、この樋壁２１０２は、前面側２１０２ａを後面側２１０２ｂに対して、低くすることで、陳列バー２０の架承を簡易にすることも可能である。
【００５７】
尚、この第二実施例の取付け、取外し方は、前述した第一実施例に準ずる。
【００５８】
図示しないが、本発明は、板材で構成された、コンテナーＡ、システム什器Ｂ等の陳列台にも対応可能な汎用性を有するとともに、止め具Ｘ、Ｙの取付け、取外しが、工具を使用することなく、簡易な方法で、かつ安全に、行うことができる。
【符号の説明】
【００５９】
Ｘ            止め具
１            取付け部材
２            上の曲折部
２００        切欠部
２０１        折曲端片
２０２        折曲片
３            下の折曲片
３００        切欠部
３ａ          先端
５            左の折曲片
６            右の折曲片
７            取付け本体
７ａ          裏面側
７ｂ          表面側
８            垂下片
９            仕切り材
９００        枠線材
９００ａ      端部
１０          覆蓋
１１          左の折曲部
１１００      切欠部
１１００ａ    垂下切欠面
１１０１      折曲端片
１１０１ａ    内面側
１１０２      折曲片
１１０２ａ    内面側
１２          右の折曲部
１２００      切欠部
１２００ａ    垂下切欠面
１２０１      折曲端片
１２０１ａ    内面側
１２０２      折曲片
１２０２ａ    内面側
１３          上の折曲部
１３００      切欠部
１３０１      折曲端片
１３０１ａ    内面側
１３０２      折曲片
１３０２ａ    内面側
１５          蓋本体
１５ａ        裏面側
１６          開口
１８          蝶螺子
１８００      先端部
Ｙ            止め具
２０          陳列バー
２１          受け片
２１００      開口
２１０２      樋壁
２１０２ａ    前面側
２１０２ｂ    後面側
２１０２ａ    内面側
２２          Ｕ字形の下の折曲部
２２０１      折曲片
２２０２      折曲端片
２２０３      垂下片
Ａ            コンテナー
Ａ１          縦杆
Ａ２          横杆
Ａ３          枠板
Ｂ            システム什器
Ｂ１          縦杆
Ｂ２          横杆
【図１−１】
0005553644.tif 000002
【図１−２】
0005553644.tif 000003
【図２−１】
0005553644.tif 000004
【図２−２】
0005553644.tif 000005
【図３】
0005553644.tif 000006
【図４】
0005553644.tif 000007
【図５−１】
0005553644.tif 000008
【図５−２】
0005553644.tif 000009
【図５−３】
0005553644.tif 000010
【図５−４】
0005553644.tif 000011
【図６】
0005553644.tif 000012
【図７−１】
0005553644.tif 000013
【図７−２】
0005553644.tif 000014
【図８】
0005553644.tif 000015
【図９】
0005553644.tif 000016
【図１０−１】
0005553644.tif 000017
【図１０−２】
0005553644.tif 000018
【図１０−３】
0005553644.tif 000019
【図１０−４】
0005553644.tif 000020